(57)【特許請求の範囲】
【請求項１】
下記を備える装置：
少なくとも１つの基地局が属する第１の組から受信されたＰＣコマンドに基づいて伝送電力を調整し、少なくとも１つの基地局が属する第２の組から受信された消去指示に基づいてハンドオフを実行するように構成される少なくとも１つのプロセッサ；および、
前記少なくとも１つのプロセッサに結合されるメモリ、
ここにおいて、前記少なくとも１つのプロセッサが、前記基地局から受信された消去指示に基づいて、前記第２の組内の各基地局に関する消去率を決定し、最も低い消去率を有する基地局を選択し、前記選択された基地局へのハンドオフを実行するように構成される。
【請求項２】
請求項１に記載の装置、ここにおいて、
前記第１の組が、サービス提供基地局として指定された単一の基地局を含み、前記第２の組が、前記サービス提供基地局を含む。
【請求項３】
請求項１に記載の装置、ここにおいて、
前記少なくとも１つのプロセッサが、前記受信されたＰＣコマンドに基づいて調整された前記伝送電力で符号語を伝送し、少なくとも１つの基地局が属する前記第２の組から前記符号語に関する前記消去指示を受信するように構成される。
【請求項４】
請求項１に記載の装置、ここにおいて、
前記少なくとも１つのプロセッサが、受信されたＰＣコマンドがアップコマンドである場合、前記伝送電力をアップステップだけ増大させ、前記受信されたＰＣコマンドがダウンコマンドである場合、前記伝送電力をダウンステップだけ減少させるように構成される。
【請求項５】
下記を備る方法において、前記方法はプロセッサにより実行され：
少なくとも１つの基地局が属する第１の組から受信されたＰＣコマンドに基づいて伝送電力を調整すること；および、
少なくとも１つの基地局が属する第２の組から受信された消去指示に基づいてハンドオフを実行すること、ここにおいて、前記ハンドオフを実行することは、下記を備える：
前記基地局から受信された消去指示に基づいて、前記第２の組内の各基地局に関する消去率を決定すること；
最も低い消去率を有する基地局を選択すること；および、
前記選択された基地局へのハンドオフを実行すること。
【請求項６】
さらに下記を備える請求項５に記載の方法：
前記受信されたＰＣコマンドに基づいて調整された前記伝送電力で符号語を伝送すること；および、
少なくとも１つの基地局が属する前記第２の組から前記符号語に関する前記消去指示を受信すること。
【請求項７】
下記を備える装置：
少なくとも１つの基地局が属する第１の組から受信されたＰＣコマンドに基づいて伝送電力を調整するための手段；および、
少なくとも１つの基地局が属する第２の組から受信された消去指示に基づいてハンドオフを実行するための手段、
ここにおいて、ハンドオフを実行するための前記手段は、下記を備える：
前記基地局から受信された消去指示に基づいて、前記第２の組内の各基地局に関する消去率を決定するための手段；
最も低い消去率を有する基地局を選択するための手段；および、
前記選択された基地局へのハンドオフを実行するための手段。
【請求項８】
さらに下記を備える請求項７に記載の装置：
前記受信されたＰＣコマンドに基づいて調整された前記伝送電力で符号語を伝送するための手段；および、
少なくとも１つの基地局が属する前記第２の組から前記符号語に関する前記消去指示を受信するための手段。
【請求項９】
下記のようにプロセッサにより動作可能な命令を保存するためのプロセッサ可読媒体：
少なくとも１つの基地局が属する第１の組から受信されたＰＣコマンドに基づいて伝送電力を調整する；
少なくとも１つの基地局が属する第２の組から受信された消去指示に基づいてハンドオフを実行する；
前記基地局から受信された消去指示に基づいて、前記第２の組内の各基地局に関する消去率を決定する；
最も低い消去率を有する基地局を選択する；および、
前記選択された基地局へのハンドオフを実行する。
【請求項１０】
コンピュータに、請求項５乃至６のうちの１つに記載の方法を実行させるプログラム。
【請求項１１】
プログラムを記録したコンピュータ可読記憶デバイス、ここにおいて、
前記プログラムは、コンピュータに、請求項５乃至６のうちの１つに記載の方法を実行させる。
【発明の詳細な説明】
【技術分野】
【０００１】
本出願は、本出願の譲受人に譲渡され、参照により本明細書に組み込まれる、２００６年１月５日に出願された「ＭＥＴＨＯＤ  ＯＦ  ＣＯＮＴＲＯＬ  ＷＩＴＨ  ＵＰ／ＤＯＷＮ  ＣＯＭＭＡＮＤＳ  ＡＮＤ  ＥＲＡＳＵＲＥ  ＩＮＤＩＣＡＴＩＯＮＳ」と題する米国仮特許出願第６０／７５６９８１号の優先権を主張する。
【０００２】
本開示は、一般に、通信に関し、より詳細には、無線通信システムにおいて電力制御およびハンドオフを実行するための技法に関する。
【背景技術】
【０００３】
無線多元接続通信システムは、例えば帯域幅および伝送電力など、利用可能なシステムリソースを共用することによって、複数の無線端末に対して通信をサポートすることができる。各端末は、順方向および逆方向リンク上の伝送を介して、１つまたは複数の基地局と通信することができる。順方向リンク（またはダウンリンク）とは、基地局から端末への通信リンクのことであり、逆方向リンク（またはアップリンク）とは、端末から基地局への通信リンクのことである。
【０００４】
複数の端末は同時に、順方向リンク上でデータを受信し、かつ／または逆方向リンク上でデータを送信することができる。これは、各リンク上の伝送を、時間、周波数、および／または符号領域において互いに直交するように多重化することによって達成されることができる。逆方向リンク上において、完全な直交性は、それが達成されるならば、受信基地局において他の端末からの伝送と干渉しない、各端末からの伝送をもたらす。しかし、異なる端末からの伝送の間での完全な直交性は、チャネル状態および受信機の不完全性などのため、しばしば実現されない。直交性の損失は、各端末が、同じ基地局と通信する他の端末と、ある程度の干渉を起こすという結果をもたらす。さらに、異なる基地局と通信する端末からの伝送は一般に、互いに直交していない。したがって、各端末は、近くの基地局と通信する他の端末とも干渉を起こすことがある。各端末の性能は、システム内の他のすべての端末からの干渉によって悪化させられる。
【発明の概要】
【０００５】
したがって、干渉を低減し、すべての端末にとって良好な性能を達成するために、端末の伝送電力を制御する技法の必要性が当技術分野には存在する。
【０００６】
電力制御およびハンドオフを効率的に実行するための技法が、本明細書で説明される。一態様では、電力制御（ＰＣ）は、アップ−ダウンＰＣモード（up-down PC mode）および消去ベースＰＣモード（erasure-based PC mode）など、複数のＰＣモードを用いてサポートされる。１つのＰＣモードが、例えば所望の性能に基づいて、使用のために選択されることができる。信号（例えばＰＣモードビット）が、選択ＰＣモードを通知するために、送信されることができる。アップ−ダウンＰＣモードが選択された場合、基地局は、端末に関する受信された信号の品質を推定し、伝送電力を調整するよう端末に指示するためにＰＣコマンドを送信する。消去ベースＰＣモードが選択された場合、基地局は、端末から受信された符号語を検出し、これらの符号語が消去されたもの（erased）か、それとも消去されていないもの（non-erased）かを通知する消去指示（erasure indication）を送信する。どちらのＰＣモードの場合も、端末は、目標性能レベル（例えば端末によって送信される符号語に関する目標消去率（erasure rate））を達成するために、電力制御フィードバック（例えばＰＣコマンドおよび／または消去指示）に基づいて、伝送電力を調整する。
【０００７】
別の態様では、電力制御が、ＰＣコマンドに基づいて達成され、ハンドオフが、消去指示に基づいて達成される。端末は、逆方向リンク上で符号語を伝送する。少なくとも１つの基地局が属する第１の組は、例えば端末から受信された符号語に基づいて、端末に関する受信された信号の品質を推定し、受信された信号の品質に基づいて、ＰＣコマンドを生成する。少なくとも１つの基地局が属する第２の組は、端末から受信された符号語に関する消去指示を生成する。第１の組は、ただ１つのサービス提供基地局を含むことができる。第２の組は、サービス提供基地局と、おそらくはその他の基地局とを含むことができる。端末は、基地局の第１の組から受信されたＰＣコマンドに基づいて、伝送電力を調整する。端末は、第２の組に属する各基地局に関する消去率を決定し、最も低い消去率を有する基地局を選択し、選択された基地局へのハンドオフを実行することができる。
【０００８】
本開示の様々な態様および特徴が、以下でさらに詳細に説明される。
【図面の簡単な説明】
【０００９】
【図１】無線通信システムを示す図。
【図２】複数のＰＣモードをサポートする電力制御機構を示す図。
【図３】アップ−ダウンＰＣモードに関する電力制御機構を示す図。
【図４】消去ベースＰＣモードに関する電力制御機構を示す図。
【図５】端末の電力制御のために基地局によって実行されるプロセスを示す図。
【図６】端末の電力制御のための基地局における装置を示す図。
【図７】電力制御のために端末によって実行されるプロセスを示す図。
【図８】電力制御のための端末における装置を示す図。
【図９】電力制御およびハンドオフを実行するためのプロセスを示す図。
【図１０】電力制御およびハンドオフを実行するための装置を示す図。
【図１１】端末と２つの基地局を示すブロック図。
【発明を実施するための形態】
【００１０】
図１は、複数の基地局１１０を有する無線通信システム１００を示している。基地局は、端末と通信する局である。基地局は、アクセスポイント、ノードＢ、および／またはその他の何らかのネットワークエンティティと呼ばれることもあり、それらの機能の一部または全部を含むことができる。各基地局は、特定の地理的エリアに対して通信カバレージを提供する。「セル」という用語は、この用語が使用される文脈に応じて、基地局および／またはそのカバレージエリアを指すことができる。システム能力を改善するため、基地局カバレージエリアは、複数（例えば３つ）のより小さなエリアに分割されることができる。より小さな各エリアは、それぞれの基地局トランシーバサブシステム（ＢＴＳ）によってサービス提供を受けることができる。「セクタ」という用語は、この用語が使用される文脈に応じて、ＢＴＳおよび／またはそのカバレージエリアを指すことができる。セクタ化されたセルの場合、そのセルのすべてのセクタのためのＢＴＳは一般に、そのセルのための基地局内に共存させられる。
【００１１】
端末は、システム全域に散在させられることができ、各端末は、固定されていても、または移動可能であってもよい。簡単にするため、ただ１つの端末１２０が、図１に示されている。端末は、アクセス端末（ＡＴ）、移動局（ＭＳ）、ユーザ装置（ＵＥ）、および／またはその他の何らかのエンティティと呼ばれることもあり、それらの機能の一部または全部を含むことができる。端末は、無線装置、セルラ電話、携帯情報端末（ＰＤＡ）、無線モデム、およびハンドヘルド装置などとすることができる。端末は、任意の与えられた瞬間に、順方向リンクおよび／または逆方向リンク上で、０、１、または複数の基地局と通信することができる。
【００１２】
中央集中アーキテクチャの場合、システムコントローラ１３０は、基地局１１０に結合され、調整および制御を基地局に提供する。システムコントローラ１３０は、単一のネットワークエンティティであっても、またはネットワークエンティティの集まりでもよい。分散アーキテクチャの場合、基地局は、必要に応じて、互いに通信することができる。
【００１３】
本明細書で説明される電力制御およびハンドオフ技法は、様々な無線通信システムのため、および符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）など、様々な無線技法のために使用されることができる。ＯＦＤＭＡは、直交周波数分割多重化（ＯＦＤＭ）を利用し、ＳＣ−ＦＤＭＡは、シングルキャリア周波数分割多重化（ＳＣ−ＦＤＭ）を利用する。ＯＦＤＭおよびＳＣ−ＦＤＭは、周波数帯（例えばシステム帯域幅）を、トーンおよびビンなどとも呼ばれる複数の直交サブキャリアに分割する。各サブキャリアは、データによって変調されることができる。一般に、変調シンボルは、ＯＦＤＭでは周波数領域で、ＳＣ−ＦＤＭでは時間領域で送信される。本明細書で説明される技法は、複数の無線技法（例えばＣＤＭＡおよびＯＦＤＭＡ）を利用する無線通信システムのためにも使用されることができる。
【００１４】
本明細書で説明される技法は、セクタ化されたセルを用いるシステムばかりでなく、セクタ化されていないセルを用いるシステムのためにも使用されることができる。明確にするため、本明細書の技法は、以下では、セクタ化されたセルを用いるシステムに関して説明される。以下の説明において、「基地局」および「セクタ」という用語は、交換可能に使用され、「端末」および「ユーザ」という用語も、交換可能に使用される。
【００１５】
端末１２０は、逆方向リンク上で、データ、信号、パイロット、および／またはその他の内容を伝送することができる。逆方向リンク上での伝送は、システム設計に応じて、様々な方式でサポートされることができる。１つの設計では、アクティブ集合（active set）が、端末のために維持され、アクティブ集合は、逆方向リンク上で端末にサービス提供し得る１つまたは複数のセクタを含む。セクタは、端末および／またはセクタによって行われ得る信号品質測定に基づいて、アクティブ集合に追加され、または削除されることができる。アクティブ集合内の１つのセクタは、端末のための逆方向リンク（ＲＬ）サービス提供中のセクタとして設計されることができる。サービス提供中のセクタは、端末に関する逆方向リンク伝送をサポートするために、様々な機能（例えば、スケジューリング、データ復号、および電力制御など）を実行することができる。アクティブ集合内の残りのセクタは（もしあるならば）、アクティブ集合のサービス提供中でないセクタと呼ばれることがある。サービス提供中でないセクタは、サービス提供中のセクタの選択を支援するために、様々な機能（例えばフィードバック報告）を実行することができる。
【００１６】
図１に示されるように、端末１２０からの伝送は、任意の数のセクタによって受信されることができる。これらのセクタは、サービス提供中のセクタ１１０ｘと、サービス提供中でないセクタ１２０ａから１２０ｍと、端末のアクティブ集合に属さないその他のセクタ（例えば近隣セクタ１２０ｎ）とを含むことができる。端末１２０からの伝送は、同じサービス提供中のセクタ１１０ｘに向けて伝送する他の端末ばかりでなく、例えばセクタ１１０ａから１１０ｎなどの他のセクタに向けて伝送する他の端末に対しても干渉を引き起こすことがある。したがって、他の端末に対する干渉を低減しながら、端末１２０について所望の性能が達成されるように、端末１２０の伝送電力を制御するのが望ましい。
【００１７】
１．ＲＬ電力制御
逆方向リンク（ＲＬ）電力制御は、逆方向リンク上における端末の伝送電力の制御に関する。一般に、ＲＬ電力制御は、端末に関する逆方向リンクの信号品質をセクタが推定することを可能にする、任意のＲＬ伝送に基づいて達成されることができる。ＲＬ伝送は、パイロット、データ、信号、またはそれらの任意の組み合わせに関することができる。良好な電力制御性能を達成するため、ＲＬ伝送は、チャネル状態の変化を追跡するのに十分な速さで端末の伝送電力が調整され得るように、定期的に送信されるべきである。
【００１８】
１つの設計では、ＲＬ電力制御は、端末によって制御チャネル上で送信される符号語に基づいて達成される。一般に、符号語は、様々なタイプの情報に関することができる。１つの設計では、符号語は、チャネル品質表示（ＣＱＩ）チャネル上で送信されるＣＱＩ報告用である。端末は、アクティブ集合内のセクタに関して信号品質測定を行い、これらの測定に関するＣＱＩ報告を生成し、ＣＱＩ報告をＣＱＩチャネル上で例えばサービス提供中のセクタに伝送することができる。ＣＱＩ報告は、順方向リンク上で端末にサービス提供するのに適切なセクタを選択するために使用されることができる。他の設計では、符号語は、その他のタイプの情報に関することができる。
【００１９】
ＣＱＩ報告（または信号メッセージ）は、Ｌビットを含む小さなワードとすることができ、一般に、Ｌ≧１である。このワードは、符号帳内の２Ｌ個の可能な符号語の１つにマップされることができる。その後、符号語は、ＣＱＩチャネル上で送信される。同じ数のビット（例えばＬビット）が、各ＣＱＩ報告用に送信されることができる。この場合、各ＣＱＩ報告に対して、同じコードブックが使用されることができる。代替として、異なる数のビットが、異なるＣＱＩ報告用に送信されることができ、送信されるビットの数に応じて、異なるコードブックが使用されることができる。与えられたコードブック内の符号語は、ブロック符号またはその他の何らかのマッピング方式に基づいて生成されることができる。１つの設計では、２Ｌ個の可能な符号語は、長さが２Ｌの２Ｌ個の異なるウォルッシュ符号によって形成される。特定のウォルッシュ符号が、ＬビットＣＱＩ報告用の符号語として送信されることができる。
【００２０】
一態様では、ＲＬ電力制御は、複数のＰＣモードを用いてサポートされる。ＰＣモードは、ＰＣ方式、ＰＣ機構、およびＰＣアルゴリズムなどと呼ばれることもある。１つの設計では、複数のＰＣモードは、アップ−ダウンＰＣモードと、消去ベースＰＣモードとを含む。アップ−ダウンＰＣモードでは、セクタ（例えばサービス提供セクタ）は、端末に関する受信された信号の品質を推定し、伝送電力を調整するよう端末に指示するためにＰＣコマンド／ビットを送信する。消去ベースＰＣモードでは、セクタ（例えばサービス提供セクタ）は、端末から受信された符号語に関するセクタにおける消去検出の結果を通知する消去指示／ビットを送信する。どちらのＰＣモードの場合も、端末は、目標消去率および／またはその他の何らかの尺度によって定量化され得る目標性能レベルを達成するために、電力制御フィードバック（例えばＰＣコマンドおよび／または消去指示）に基づいて、伝送電力を調整する。
【００２１】
図２は、アップ−ダウンＰＣモードおよび消去ベースＰＣモードをサポートする電力制御機構２００の設計を示している。この設計では、サービス提供セクタ１１０ｘは、ＲＬ電力制御用に使用するＰＣモードを通知するシグナリングを、端末１２０に送信する。１つの設計では、この信号は、消去ベースＰＣモードを表す「０」またはアップ−ダウンＰＣモードを表す「１」に設定され得るＲＬＣｔｒｌＰＣＭｏｄｅビットである。信号は、通信セッションの開始時に、およびＰＣモードに変更があった時などに送信されることができる。別の設計では、サービス提供セクタ１１０ｘは、セクタによってサポートされるＰＣモードを、カバレージエリア内のすべての端末にブロードキャストする。いずれの場合も、端末１２０の信号プロセッサ２５８は、サービス提供セクタ１１０ｘから信号を受信し、アップ−ダウンＰＣモードを使用するか、それとも消去ベースＰＣモードを使用するかを指示するモード制御を提供する。
【００２２】
アップ−ダウンＰＣモードが選択された場合、サービス提供セクタ１１０ｘは、端末１２０に関する受信された信号の品質を定期的に推定し、順方向リンク（雲形２５２）を介してＰＣコマンドを端末１２０に送信する。各ＰＣコマンドは、（１）伝送電力の増大を指示するアップコマンド、または（２）伝送電力の減少を指示するダウンコマンドとすることができる。端末１２０において、アップ−ダウンＰＣモードプロセッサ２６０は、サービス提供セクタ１１０ｘからＰＣコマンドを受信し、受信されたＰＣコマンドに基づいて端末１２０の伝送電力を調整し、伝送電力レベルＰｕｄ（ｎ）を伝送（ＴＸ）データプロセッサ／変調器２８０に提供する。プロセッサ２８０は、逆方向リンク（雲形２５０）上で符号語をサービス提供セクタ１１０ｘおよび非サービス提供セクタ１１０ａから１１０ｍに伝送電力Ｐｕｄ（ｎ）で伝送する。
【００２３】
セクタ１１０ｘおよび１１０ａから１１０ｍは、端末１２０から符号語を受信する。各セクタ１１０は、受信された符号語を復号し、復号結果が所望の信頼性レベルを満たしているかどうかを決定するために消去検出を実行する。受信された符号語は、（１）復号結果が所望の信頼性レベルを満たしていない場合に「消去されたもの」と見なされ、または（２）復号結果が所望の信頼性レベルを満たしている場合に「消去されていないもの」と見なされることができる。各セクタ１１０は、消去指示を端末１２０に送信する。消去指示は、受信された符号語が消去されたものか、それとも消去されていないものかを通知することができる。
【００２４】
消去ベースＰＣモードが選択された場合、サービス提供セクタ１１０ｘからの消去指示が、ＲＬ電力制御のために使用される。端末１２０において、消去ベースＰＣモードプロセッサ２７０は、サービス提供セクタ１１０ｘから消去指示を受信し、受信消去指示に基づいて端末１２０の伝送電力を調整し、伝送電力レベルＰｅｂ（ｎ）をＴＸデータプロセッサ２８０に提供する。その後、プロセッサ２８０は、符号語を伝送電力Ｐｅｂ（ｎ）で伝送する。
【００２５】
図２に示される設計では、ＲＬ電力制御は、サービス提供セクタ１１０ｘからの電力制御フィードバックにもっぱら基づいて実行される。このフィードバックは、アップ−ダウンＰＣモードではＰＣコマンドを、消去ベースＰＣモードでは消去指示を備えることができる。この設計は、端末１２０の伝送電力が１つのソースからのフィードバックに基づいて調整されるので、ＲＬ電力制御を単純化することができる。
【００２６】
ＲＬ電力制御は、複数のセクタからのフィードバックに基づいて実行されることもできる。アップ−ダウンＰＣモードの別の設計では、複数のセクタが、端末１２０に関する受信された信号の品質を推定し、ＰＣコマンドを端末に送信することができる。その後、端末１２０は、すべてのセクタから受信されたＰＣコマンドに基づいて、伝送電力を調整することができる。端末１２０は、ダウンに関するＯＲ規則（OR-of-the-down rule）を適用することができ、いずれかのセクタがダウンコマンドを送信した場合は常に、伝送電力を低減することができる。端末１２０は、受信されたＰＣ受信されたＰＣコマンドをその他の方式で組み合わせることもできる。消去ベースＰＣモードの別の設計では、端末１２０は、複数のセクタから受信された消去指示に基づいて、伝送電力を調整することができる。また別の設計では、ハイブリッドＰＣモードがサポートされることができ、端末１２０は、ＰＣコマンドと消去指示の組み合わせに基づいて、伝送電力を調整することができる。ＲＬ電力制御は、その他の方式で実行されることもできる。
【００２７】
１つの設計では、アクティブセットは、上で説明されたように、サービス提供および非サービス提供セクタを含む。別の設計では、アクティブセットは、複数の同期サブセットを含むことができる。サービス提供セクタは、同期サブセットの１つから選択されることができ、（もしあるならば）残りの各同期サブセット内で最良のセクタが、例えばセクタに関する消去率に基づいて、識別されることができる。端末は、サービス提供セクタからのフィードバック（例えばＰＣコマンドおよび／または消去指示）ばかりでなく、残りの各同期サブセット内で最良のセクタからのフィードバックにも応答することができる。可能な曖昧性を回避するため、各セクタは、逆方向リンク上でそのセクタによってサービス提供される端末に対して、アップ−ダウンＰＣモードを使用することができ、アクティブセット内にそのセクタを有する他の端末に対して、消去ベースＰＣモードを使用することができる。
【００２８】
別の態様では、端末に関するＲＬハンドオフが、サービス提供および非サービス提供セクタによって送信される消去指示に基づいてサポートされる。ハンドオフまたはハンドオーバとは、１つのサービス提供セクタから別のサービス提供セクタに引渡しが行われるプロセスのことである。逆方向リンク上で、異なるセクタは一般に、異なる経路損失および／または干渉レベルのため、端末に関する異なる受信された信号の品質を観測する。最良の受信された信号の品質を観測するセクタが、端末にサービス提供するのが望ましい。一般に、セクタは、端末によって送信された任意の伝送に基づいて、端末に関する受信された信号の品質を推定することができる。しかし、端末がその他の目的ですでに符号語を伝送している場合、セクタは、端末に関する受信された信号の品質を推定するために、これらの符号語を効率的に使用することができる。その場合、セクタによって送信される消去指示は、端末に関するセクタによって測定された受信された信号の品質を通知するフィードバックに相当する。端末は、逆方向リンク上で端末にサービス提供する最良のセクタを選択するために、消去指示を使用することができる。
【００２９】
図２に示される設計では、ＲＬハンドオフプロセッサ２９０は、サービス提供セクタ１１０ｘばかりでなく、非サービス提供セクタ１１０ａから１１０ｍからも、消去指示を受信する。プロセッサ２９０は、上で説明されたように、受信された消去指示に基づいて、端末１２０に関する最良の受信された信号の品質を観測したセクタを識別する。プロセッサ２９０は、別のセクタが、現在のサービス提供セクタよりも、端末１２０に関するより良い受信された信号の品質を観測した場合、ハンドオフ要求を生成する。
【００３０】
１つの設計では、ＲＬ電力制御は、ＰＣコマンドに基づいて実行されることができ、ＲＬハンドオフは、消去指示に基づいて実行されることができる。別の設計では、ＲＬ電力制御およびハンドオフはともに、消去指示に基づいて実行されることができる。他の設計では、ＲＬ電力制御およびハンドオフは、セクタからの他のフィードバックに基づいて実行されることができる。
【００３１】
アップ−ダウンＰＣモードおよび消去ベースＰＣモードは、様々な方式で実施されることができる。２つのＰＣモードの例示的な設計が、以下で説明される。
【００３２】
図３は、アップ−ダウンＰＣモード用の電力制御機構３００の設計を示している。電力制御機構３００は、内側ループ３１０と、外側ループ３１２と、第３のループ３１４とを含む。内側ループ３１０は、サービス提供セクタ１１０ｘと端末１２０の間で機能する。外側ループ３１２および第３のループ３１４は、サービス提供セクタ１１０ｘによって維持される。端末１２０において、内側ループ３１０は、アップ−ダウンＰＣモードプロセッサ２６０によってサポートされ、アップ−ダウンＰＣモードプロセッサ２６０は、ＰＣコマンドプロセッサ２６２と、ＴＸ電力調整ユニット２６４とを含む。
【００３３】
内側ループ３１０は、サービス提供セクタ１１０ｘにおいて受信された信号の品質を目標信号品質近くに維持するために、端末１２０の伝送電力を調整する。信号品質は、ＳＮ比（ＳＮＲ）、信号対雑音および干渉比（ＳＩＮＲ）、キャリア対干渉比（Ｃ／Ｉ）、およびシンボル当たりエネルギー対雑音比（Ｅｓ／Ｎｏ）などによって定量化されることができる。明確にするため、以下の説明では、信号品質を表すのにＳＮＲが使用される。サービス提供セクタ１１０ｘにおいて、ＳＮＲ推定器２２０が、（例えば符号語を伝送する制御チャネルに基づいて）端末１２０の受信ＳＮＲを推定し、受信ＳＮＲを提供する。ＳＮＲ推定器２２０は、受信ＳＮＲの改善された推定値を獲得するために、複数のフレームにわたってＳＮＲ推定値を平均することができる。ＳＮＲ推定器２２０は、受信された符号語が消去であるフレームに関するＳＮＲ推定値を廃棄することもできる。ＰＣコマンド生成器２２２は、受信ＳＮＲおよび目標ＳＮＲを獲得し、受信ＳＮＲを目標ＳＮＲと比較し、以下のようにＰＣコマンドを生成する。
【数１】
0005502846.tif 000002
【００３４】
ここで、ＳＮＲｒｘ（ｎ）は、フレームｎでの受信ＳＮＲであり、ＳＮＲｔａｒｇｅｔは、目標ＳＮＲである。サービス提供セクタ１１０ｘは、ＰＣコマンドを端末１２０に伝送する。
【００３５】
端末１２０において、ＰＣコマンドプロセッサ２６２は、サービス提供セクタ１１０ｘによって送信されたＰＣコマンドを受信し、受信されたＰＣコマンドの各々について判定を下す。ＰＣ判定は、受信されたＰＣコマンドがアップコマンドであると見なされた場合はアップ判定とすることができ、または受信されたＰＣコマンドがダウンコマンドであると見なされた場合はダウン判定とすることができる。その後、調整ユニット２６４は、プロセッサ２６２からのＰＣ判定に基づいて、端末１２０の伝送電力を以下のように調整することができる。
【数２】
0005502846.tif 000003
【００３６】
ここで、Ｐｕｄ（ｎ）は、フレームｎでの伝送電力であり、ΔＰは、アップ−ダウンＰＣモードにおいて伝送電力を調整するためのステップサイズである。
【００３７】
伝送電力Ｐｕｄ（ｎ）およびステップサイズΔＰは、デシベル（ｄＢ）単位で与えられる。式（２）に示される設計では、伝送電力は、同じステップサイズ（例えば、０．５ｄＢ、１．０ｄＢ、またはその他の何らかの値）だけ増大または減少させられ、ステップサイズは、ＲＬ電力制御に良好な性能を提供するように選択されることができる。別の設計では伝送電力は、異なるアップおよびダウンステップサイズによって調整される。伝送電力Ｐｕｄ（ｎ）は、受信されたＰＣコマンドがあまりにも信頼できないと見なされた場合、同じレベルに維持されることもできる。プロセッサ２８０は、符号語を生成し、これらの符号語をサービス提供セクタ１１０ｘおよび非サービス提供セクタ１１０ａから１１０ｍ（図３には図示されず）に伝送電力Ｐｕｄ（ｎ）で伝送する。
【００３８】
外側ループ３１２は、端末１２０によって送信された符号語に関する目標消去率を達成するために、受信された符号語に基づいて、目標ＳＮＲを調整する。サービス提供セクタ１１０ｘにおいて、メトリック計算ユニット２２４が、受信された符号語の各々に関するメトリックを計算する。消去検出器４２６は、以下で説明されるように、メトリックおよび消去閾値に基づいて、受信された符号語の各々に対して消去検出を実行し、消去されたものまたは消去されていないものとし得る受信された符号語の各々のステータスを提供する。目標ＳＮＲ調整ユニット２２８は、受信された符号語の各々のステータスを獲得し、１つの設計では、目標ＳＮＲを以下のように調整することができる。
【数３】
0005502846.tif 000004
【００３９】
ここで、ΔＳＮＲｔａｒｇｅｔ（ｋ）は、更新インターバルｋでの目標ＳＮＲであり、ΔＳＮＲｕｐは、目標ＳＮＲに関するアップステップサイズであり、ΔＳＮＲｄｎは、目標ＳＮＲに関するダウンステップサイズである。目標ＳＮＲならびにアップおよびダウンステップサイズは、ｄＢ単位で与えられる。
【００４０】
ΔＳＮＲｕｐおよびΔＳＮＲｄｎステップサイズは、以下のように設定されることができる。
【数４】
0005502846.tif 000005
【００４１】
ここで、Ｐｒｅｒａｓｕｒｅは、目標消去率である。一例として、目標消去率が１０％である場合、アップステップサイズは、ダウンステップサイズの９倍である。アップステップサイズが０．５ｄＢである場合、ダウンステップサイズは、約０．０５６ｄＢである。
【００４２】
別の設計では、サービス提供基地局１１０ｘは、消去符号語の窓にわたって消去率を測定し、測定消去率と目標消去率の差に基づいて、目標ＳＮＲを調整する。目標ＳＮＲは、等しいまたは異なるアップおよびダウンステップサイズを使用して調整されることができる。
【００４３】
１つの設計では、消去閾値は固定され、適切な閾値の値は、コンピュータシミュレーション、経験的測定値、および／またはその他の何らかの手段に基づいて決定されることができる。別の設計では、消去閾値は、符号語に関する目標とする条件付き誤り率（conditional error rate）Ｐｒｅｒｒｏｒを達成するために、閉ループを用いて調整される。条件付き誤り率は、消去されていない符号語で条件付けられた誤りの確率であり、これは、受信された符号語が消去されていないものであると宣言された場合に、復号された受信された符号語が誤りである確率がＰｒｅｒｒｏｒであることを意味する。低いＰｒｅｒｒｏｒ（例えば１％または０．１％）は、消去されていない符号語が宣言された場合には、復号結果の信頼度が高いことに対応する。
【００４４】
第３のループ３１４は、目標とする条件付き誤り率を達成するために、受信された既知の符号語に基づいて、消去閾値を調整する。端末１２０は、定期的または指示された時に、既知の符号語を伝送することができる。サービス提供セクタ１１０ｘにおいて、メトリック計算ユニット２２４および消去検出器２２６は、その他の受信された符号語に対するのと同じ方式で、受信された既知の符号語の各々に対して消去検出を実行する。消去検出器２２６は、受信された既知の符号語の各々のステータスを提供する。復号器２３０は、消去されていないものであると見なされた受信された既知の符号語の各々を復号し、符号語ステータスを提供し、符号語ステータスは、（１）「消去されたもの」、（２）受信された既知の符号語が消去されていないものであり、正しく復号された場合には、「良好」、または（３）受信された既知の符号語は消去されていないものであるが、誤って復号された場合には、「粗悪」とすることができる。１つの設計では、消去閾値調整ユニット２３２は、受信された既知の符号語のステータスに基づいて、消去閾値を以下のように調整することができる。
【数５】
0005502846.tif 000006
【００４５】
ここで、ΔＴＨｅｒａｓｕｒｅ（ｊ）は、更新インターバルｊでの消去閾値であり、ΔＴＨｕｐは、消去閾値に関するアップステップサイズであり、ΔＴＨｄｎは、消去閾値に関するダウンステップサイズである。
【００４６】
式（５）の設計は、受信された符号語に関するより大きなメトリックが、より高い信頼度に対応することを仮定している。この場合、消去閾値は、「粗悪」な受信された既知の符号語の各々に対してはΔＴＨｕｐだけ増大される。より高い消去閾値は、より厳格な消去検出基準に対応し、消去されたものと見なされる可能性がより高い受信された符号語をもたらし、そのことが次に、消去されていないものと見なされた場合には、正しく復号される可能性がより高い受信された符号語をもたらす。消去閾値は、「良好」な受信された既知の符号語の各々に対してはΔＴＨｄｎだけ減少され、消去された受信された既知の符号語に対しては維持される。
【００４７】
ΔＴＨｕｐおよびΔＴＨｄｎステップサイズは、以下のように設定されることができる。
【数６】
0005502846.tif 000007
【００４８】
一例として、目標とする条件付き誤り率が１％である場合、アップステップサイズは、ダウンステップサイズの９９倍である。ΔＴＨｕｐおよびΔＴＨｄｎの大きさは、第３のループの所望の収束率（convergence rate）および／またはその他の要因に基づいて、選択されることができる。
【００４９】
別の設計では、サービス提供基地局１１０ｘは、誤り率（または誤警報率（false alarm rate））を測定し、測定誤り率と目標誤り率（または測定誤警報率と目標誤警報率）の差に基づいて、消去閾値を調整する。消去閾値は、等しいまたは異なるアップおよびダウン閾値ステップサイズを用いて調整されることができる。
【００５０】
消去閾値は、様々な方式で調整されることができる。１つの設計では、サービス提供セクタ１１０ｘは、各端末毎に別個の第３のループを維持し、その端末に関する所望の性能を達成するために、消去閾値を調整する。別の設計では、サービス提供セクタ１１０ｘは、すべての端末に対して単一の第３のループを維持し、これらの端末から受信された既知符号語に基づいて、消去閾値を調整する。また別の設計では、サービス提供セクタ１１０ｘは、類似の性能を有する端末からなる各グループ毎に別個の第３のループを維持し、グループ内のすべての端末から受信された既知の符号語に基づいて、消去閾値を調整する。
【００５１】
消去率、条件付き誤り率、消去閾値、および受信ＳＮＲは、一般に関係がある。消去閾値および受信ＳＮＲを所与とした場合、特定の消去率および特定の条件付き誤り率が存在する。第３のループ３１４を介して消去閾値を変更することによって、消去率と条件付き誤り率の間でトレードオフが行われることができる。
【００５２】
内側ループ３１０、外側ループ３１２、および第３のループ３１４は、異なる割合で動作する。内側ループ３１０は、いつでも受信ＳＮＲが利用可能である場合に、更新されることができる。外側ループ３１２は、いつでも符号語が受信された場合に、更新されることができる。第３のループ３１４は、いつでも既知の符号語が受信された場合に、更新されることができる。これら３つのループの更新割合は、ＲＬ電力制御に関する所望の性能を達成するように選択されることができる。
【００５３】
図４は、消去ベースＰＣモード用の電力制御機構４００の設計を示している。電力制御機構４００は、第１のループ４１０と、第２のループ４１２とを含む。第１のループ４１０は、サービス提供セクタ１１０ｘと端末１２０の間で機能し、第２のループ４１２は、サービス提供セクタ１１０ｘによって維持される。端末１２０において、第１のループ４１０は、消去ベースＰＣモードプロセッサ２７０によってサポートされ、消去ベースＰＣモードプロセッサ２７０は、消去指示プロセッサ２７２と、ＴＸ電力調整ユニット２７４とを含む。
【００５４】
第１のループ４１０は、目標消去率を達成するために、端末１２０の伝送電力を調整する。サービス提供セクタ１１０ｘにおいて、メトリック計算ユニット２２４が、受信された符号語の各々に関するメトリックを計算する。消去検出器２２６は、以下で説明されるように、メトリックおよび消去閾値に基づいて、受信された符号語の各々に対して消去検出を実行し、受信された符号語が消去されたものか、それとも消去されていないものかを通知する消去指示を生成する。サービス提供セクタ１１０ｘは、消去指示を端末１２０に伝送する。
【００５５】
端末１２０において、消去指示プロセッサ２７２は、サービス提供セクタ１１０ｘによって送信された消去指示を受信し、受信された消去指示の各々について消去された旨または消去されていない旨の判定を下す。調整ユニット２７４は、プロセッサ２７２からの消去判定に基づいて、端末１２０の伝送電力を以下のように調整することができる。
【数７】
0005502846.tif 000008
【００５６】
ここで、ΔＰｕｐは、消去判定の場合のアップステップサイズであり、ΔＰｄｎは、消去されていない旨の判定の場合のダウンステップサイズである。
【００５７】
ΔＰｕｐおよびΔＰｄｎステップサイズは、目標消去率に基づいて、以下のように設定されることができる。
【数８】
0005502846.tif 000009
【００５８】
サービス提供セクタ１１０ｘは、ΔＰｕｐおよび／またはΔＰｄｎステップサイズをカバレージエリア内の端末にブロードキャストすることができる。与えられた配備では、目標消去率は、非常に緩やかに変化することができる。したがって、ΔＰｕｐおよび／またはΔＰｄｎステップサイズをブロードキャストするオーバーヘッドは、総オーバーヘッドのうちの僅かなパーセンテージとすることができる。
【００５９】
第２のループ４１２は、目標とする条件付き誤り率を達成するために、受信された既知の符号語に基づいて、消去閾値を調整する。第２のループ４１２は、図３の第３のループ３１４に関して上で説明されたように動作する。
【００６０】
第１のループ４１０および第２のループ４１２は、異なる割合で動作することができる。第１のループ４１０は、いつでも符号語が受信された時に、更新されることができる。第２のループ４１２は、いつでも既知の符号語が受信された時に、更新されることができる。
【００６１】
図３および図４に示される設計では、所望の性能レベルは、目標消去率および目標とする条件付き誤り率によって定量化される。性能は、例えば目標誤警報確率など、その他の尺度によっても定量化されることができ、誤警報確率は、何も送信されなかった場合に消去されていない符号語を宣言する確率である。電力制御機構は、性能を定量化するのに使用される尺度に従って設計されることができる。
【００６２】
アップ−ダウンＰＣモードを使用するか、それとも消去ベースＰＣモードを使用するかを選択する際に、様々な要因が考えられ得る。例えば、ＰＣモードは、目標消去率、収束率、および／またはその他の要因に基づいて選択されることができる。消去ベースＰＣモードは、目標消去率が５０％である場合には、アップ−ダウンＰＣモードと同様であることができる。これら２つのＰＣモードは、目標消去率が５０％以外の何かである場合に、異なる特徴を有することができる。消去ベースＰＣモードは、外側ループを使用することなく、目標消去率を直接的に達成するために使用されることができる。しかし、消去ベースＰＣモードにおける異なるΔＰｕｄおよびΔＰｄｎステップサイズの使用は、（１）適切な伝送電力レベルへのより緩やかな収束、および（２）受信ＳＮＲのより広い分布をもたらし得る。消去率は、消去指示を検出する際の誤りにも敏感であることができ、特に、例えば１％または１０％など、非常に高いまたは非常に低い消去率を目標とする場合にそうである。アップ−ダウンＰＣモードは、目標消去率に関わらず、等しいアップおよびダウンステップサイズΔＰを利用する。その結果、アップ−ダウンＰＣモードは、（１）適切な伝送電力レベルへのより速い収束、および（２）受信ＳＮＲのより狭い分布を達成することができる場合がある。
【００６３】
１つの設計では、ＰＣモードは、各端末毎に選択されることができる。別の設計では、ＰＣモードは、各セクタ毎に選択され、そのセクタによってサービス提供されるすべての端末に対して使用される。また別の設計では、ＰＣモードは、セクタの各グループまたはネットワーク全体に対して選択される。すべての設計で、選択されたＰＣモードは、上で説明された例えばＲＬＣｔｒｌＰＣＭｏｄｅビットなどの、オーバーヘッドメッセージパラメータを介して、端末に伝達されることができる。
【００６４】
端末は、オーバーヘッドメッセージパラメータを読むことによって、電力制御用に使用するＰＣモードを確認することができる。このパラメータがアップ−ダウンＰＣモードを示している場合、端末は、サービス提供セクタから受信されたＰＣコマンドに基づいて、等しいアップおよびダウンステップサイズを用いて、伝送電力を調整することができる。パラメータが消去ベースＰＣモードを示している場合、端末は、サービス提供セクタからの消去指示を電力制御コマンドとして扱うことができ、受信された消去指示に基づいて、異なるアップおよびダウンステップサイズを用いて、伝送電力を調整することができる。
【００６５】
上で説明されたＲＬ電力制御は、符号語を送信するのに使用される制御チャネルの信頼性の高い動作を可能にする。この制御チャネルの伝送電力は、その他の制御チャネルおよびデータチャネルのための基準電力レベルとして使用されることができる。
【００６６】
２．消去検出
消去検出は、符号語がどのように生成されたかに応じて、および使用するために選択されたメトリックに応じて、様々な方式で実行されることができる。消去検出のためのいくつかの例示的な方式が以下で説明される。
【００６７】
１つの設計では、端末は、ＬビットのＣＱＩ報告（または信号メッセージ）を、長さが２Ｌの２Ｌ個の可能なウォルッシュ符号の１つにマップする。その後、端末は、マップされたウォルッシュ符号を、ＣＱＩ報告用の符号語として伝送する。端末は、伝送に先立って、符号語をスクランブルすることができる。セクタは、伝送された符号語を受信し、符号語の検出に先立って、相補的なデスクランブリングを実行する。
【００６８】
１つの設計では、セクタは、２Ｌ個の可能なウォルッシュ符号の各々を用いて受信された符号語を逆拡散することによって、以下のように検出を実行する。
【数９】
0005502846.tif 000010
【００６９】
ここで、ｒ（ｎ，ｉ）は、フレームｎでの第ｉの受信サンプルであり、ｗｌ（ｉ）は、ウォルッシュ符号ｌの第ｉのチップであり、Ｍｌ（ｎ）は、フレームｎでのウォルッシュ符号ｌに関するメトリック値である。
【００７０】
セクタは、伝送され得た２Ｌ個の可能なウォルッシュ符号に関する２Ｌ個のメトリック値を獲得する。セクタは、各メトリック値を消去閾値と以下のように比較することができる。
【数１０】
0005502846.tif 000011
【００７１】
符号語が十分な電力で伝送された場合、ただ１つのメトリック値が消去閾値を超える可能性が高い。この場合、このメトリック値に関するウォルッシュ符号が、復号語として提供されることができ、消去されていない符号語が宣言されることができる。しかし、２Ｌ個のメトリック値がすべて消去閾値を下回る場合、消去された符号語が宣言されることができる。複数のメトリック値が消去閾値を超える場合、ただ１つのウォルッシュ符号が伝送され得たので、誤りイベントが宣言されることができる。この誤りイベントは、セクタによって観測される雑音および干渉に起因することができ、低い消去閾値を伴う可能性がより高くなり得る。
【００７２】
別の設計では、セクタは、受信された符号語と、例えば式（９）に示されるような符号帳内の２Ｌ個の可能な有効符号語の各々との間のユークリッド距離を計算することによって検出を実行する。その後、セクタは、メトリックを以下のように導出することができる。
【数１１】
0005502846.tif 000012
【００７３】
ここで、ｄ１（ｎ）は、フレームｎでの受信された符号語と最も近い有効符号語との間のユークリッド距離であり、ｄ２（ｎ）は、フレームｎでの受信された符号語と次に最も近い有効符号語との間のユークリッド距離である。
【００７４】
その後、セクタは、メトリックを消去閾値と以下のように比較することができる。
【数１２】
0005502846.tif 000013
【００７５】
その他のメトリックも、消去検出のために使用されることができる。一般に、メトリックは、任意の信頼性関数ｆ（ｒ，Ｃ）に基づいて定義されることができ、ここで、ｒは、受信された符号語であり、Ｃは、すべての可能な符号語からなる符号帳である。関数ｆ（ｒ，Ｃ）は、受信された符号語の品質／信頼性を表示すべきであり、例えば検出信頼性に対して単調であるなど、適切な特性を有するべきである。
【００７６】
３．ＲＬハンドオフ
端末１２０は、ＲＬハンドオフのために、サービス提供セクタ１１０ｘおよび非サービス提供セクタ１１０ａから１１０ｍからの消去指示を使用することができる。端末１２０は、端末１２０に関する各セクタによって観測された消去率を、そのセクタから受信された消去指示に基づいて決定することができる。各セクタ毎に、端末１２０は、そのセクタから受信された各消去指示が、消去された符号語を通知しているか、それとも消去されていない符号語を通知しているかを決定することができる。端末１２０は、セクタに関する消去率を決定するために、所定の時間窓内で、消去された符号語の数をカウントすることができる。端末１２０は、最も低い消去率を有するセクタを識別することができ、このセクタをＲＬサービス提供セクタとして選択することができる。
【００７７】
端末１２０は、ハンドオフ要求メッセージを現在のサービス提供セクタおよび／または新しく選択されたセクタに送信することができる。１つの設計では、端末１２０は、逆方向リンク上で伝送することを望む場合はいつでも、逆方向リンクリソースを求める要求を送信する。端末１２０は、このリソース要求を（１）現在のサービス提供セクタに関する識別コードを適用することによって、この現在のセクタに、または（２）新しく選択されたセクタに関する識別コードを適用することによって、この新しいセクタに送信することができる。新しく選択されたセクタへのリソース要求の伝送は、新しいセクタへのハンドオフ要求と見なされることができる。ハンドオフ要求は、その他の方式でも送信されることができる。
【００７８】
ＲＬハンドオフは、システムによって開始されることもできる。１つの設計では、端末１２０のアクティブセット内のセクタは、消去指示を、例えば図１のシステムコントローラなど、指定されたエンティティに送信する。指定されたエンティティは、端末１２０に関する最良の逆方向リンクを観測したセクタを決定することができ、このセクタを端末に関するＲＬサービス提供セクタとして選択することができる。現在のサービス提供セクタおよび／または新しく選択されたセクタは、ＲＬハンドオフを伝えるために、信号を端末１２０に送信することができる。
【００７９】
４．システム
図５は、端末のＲＬ電力制御のための、基地局（例えばサービス提供基地局）によって実行されるプロセス５００の設計を示している。複数のＰＣモードの中から選択されたＰＣモードを通知するシグナリングが送信される（ブロック５１０）。複数のＰＣモードは、アップ−ダウンＰＣモード、消去ベースＰＣモード、および／またはその他の何らかのＰＣモードを含むことができる。信号は、ＲＬＣｔｒｌＰＣＭｏｄｅビットまたはその他の何らかのタイプの信号とすることができる。その後、端末に関する電力制御フィードバックが、選択されたＰＣモードに従って生成される（ブロック５２０）。電力制御フィードバックは、端末の伝送電力を調整するのに使用され、ＰＣコマンド、消去指示、および／またはその他の情報を備えることができる。電力制御フィードバックは、端末に送信される（ブロック５４０）。伝送電力を調整するために使用されるアップおよび／またはダウンステップサイズも、端末に送信されることができ、またはすべての端末にブロードキャストされることができる。
【００８０】
ブロック５２０について、アップ−ダウンＰＣモードが選択されたか、それとも消去ベースＰＣモードが選択されたかの判定が下される（ブロック５２２）。アップ−ダウンＰＣモードが選択された場合、端末に関する受信された信号の品質が推定され（ブロック５２４）、受信された信号の品質および目標信号品質に基づいて、ＰＣコマンドが生成される（ブロック５２６）。目標信号品質は、例えば目標消去率など、目標性能レベルを達成するために調整されることができる（ブロック５２８）。消去ベースＰＣモードが選択された場合、符号語が端末から受信される（ブロック５３４）。受信された符号語の各々が消去されたものか、それとも消去されていないものかが判定され（ブロック５３６）、受信された符号語に関する消去指示が送信される（ブロック５３８）。
【００８１】
図６は、端末に関するＲＬ電力制御をサポートする装置６００の設計を示している。装置６００は、複数のＰＣモードの中から選択されたＰＣモードを通知するシグナリングを送信するための手段（モジュール６１０）と、選択されたＰＣモードに従って端末に関する電力制御フィードバックを生成するための手段（モジュール６２０）と、電力制御フィードバックを端末に送信するための手段（モジュール６４０）とを含む。電力制御フィードバックを生成するための手段は、アップ−ダウンＰＣモードを使用するか、それとも消去ベースＰＣモードを使用するかを判定するための手段（モジュール６２２）を含む。アップ−ダウンＰＣモードの場合、電力制御フィードバックを生成するための手段は、端末に関する受信された信号の品質を推定するための手段（モジュール６２４）と、受信された信号の品質および目標信号品質に基づいてＰＣコマンドを生成するための手段（モジュール６２６）と、例えば目標消去率など、目標性能レベルを達成するために目標信号品質を調整するための手段（モジュール６２８）とを含む。消去ベースＰＣモードの場合、電力制御フィードバックを生成するための手段は、端末から符号語を受信するための手段（モジュール６３４）と、受信された符号語の各々が消去されたものか、それとも消去されていないものかを判定するための手段（モジュール６３６）と、受信された符号語に関する消去指示を送信するための手段（モジュール６３８）とを含む。モジュール６１０から６４０は、プロセッサ、電子装置、ハードウェア装置、電子コンポーネント、論理回路、メモリなど、またはそれらの任意の組み合わせを備えることができる。
【００８２】
図７は、端末のＲＬ電力制御のための、端末によって実行されるプロセス７００の設計を示している。最初に、複数のＰＣモードの中から選択されたＰＣモードを通知するシグナリングが受信される（ブロック７１０）。その後、伝送電力が、選択されたＰＣモードに従って調整される（ブロック７２０）。
【００８３】
ブロック７２０について、アップ−ダウンＰＣモードが選択されたか、それとも消去ベースＰＣモードが選択されたかの判定が下される（ブロック７２２）。アップ−ダウンＰＣモードが選択された場合、ＰＣコマンドが受信され（ブロック７２４）、受信されたＰＣコマンドに従って、伝送電力が調整される（ブロック７２６）。伝送電力は、（１）受信されたＰＣコマンドがアップコマンドである場合は、アップステップだけ増大されることができ、または（２）受信されたＰＣコマンドがダウンコマンドである場合は、ダウンステップだけ減少されることができる。アップ−ダウンＰＣモードでは、アップおよびダウンステップサイズは等しくすることができる。消去ベースＰＣモードが選択された場合、通信チャネルを介して送信された符号語に関する消去指示が受信され（ブロック７３４）、受信消去指示に従って、伝送電力が調整される（ブロック７３６）。伝送電力は、（１）受信消去指示が消去された符号語を示している場合は、アップステップだけ増大されることができ、または（２）受信消去指示が消去されていない符号語を示している場合は、ダウンステップだけ減少されることができる。消去ベースＰＣモードでは、アップおよびダウンステップサイズは異なることができ、目標消去率に基づいて選択されることができる。
【００８４】
符号語が、選択されたＰＣモードに従って調整された伝送電力で送信される（ブロック７４０）。その他の伝送用の伝送電力も、符号語に関する伝送電力に基づいて調整されることができる。
【００８５】
図８は、端末に関するＲＬ電力制御を実行するための装置８００の設計を示している。装置８００は、複数のＰＣモードの中から選択されたＰＣモードを通知するシグナリングを受信するための手段（モジュール８１０）と、選択されたＰＣモードに従って伝送電力を調整するための手段（モジュール８２０）と、選択されたＰＣモードに従って調整された伝送電力で符号語を送信するための手段（モジュール８４０）とを含む。伝送電力を調整するための手段は、アップ−ダウンＰＣモードを使用するか、それとも消去ベースＰＣモードを使用するかの判定を下すための手段（モジュール８２２）を含む。アップ−ダウンＰＣモードの場合、伝送電力を調整するための手段は、ＰＣコマンドを受信するための手段（モジュール８２４）と、受信されたＰＣコマンドに従って伝送電力を調整するための手段（モジュール８２６）とを含む。消去ベースＰＣモードの場合、伝送電力を調整するための手段は、通信チャネルを介して送信された符号語に関する消去指示を受信するための手段（モジュール８３４）と、受信消去指示に従って伝送電力を調整するための手段（モジュール８３６）とを含む。モジュール８１０から８４０は、プロセッサ、電子装置、ハードウェア装置、電子コンポーネント、論理回路、メモリなど、またはそれらの任意の組み合わせを備えることができる。
【００８６】
図９は、ＲＬ電力制御およびハンドオフのための、端末によって実行されるプロセス９００の設計を示している。伝送電力が、少なくとも１つの基地局が属する第１の組から受信されたＰＣコマンドに基づいて調整される（ブロック９１０）。ハンドオフが、少なくとも１つの基地局が属する第２の組から受信された消去指示に基づいて実行される（ブロック９２０）。第１の組は、ただ１つのサービス提供基地局を含むことができる。第２の組は、サービス提供基地局と、おそらくはその他の基地局とを含むことができる。
【００８７】
端末は、逆方向リンク上で符号語を伝送する。ＲＬハンドオフの場合、符号語に関する消去指示は、基地局の第２の組から受信されることができる。第２の組内の各基地局に関して、消去率が、その基地局から受信された消去指示に基づいて決定されることができる。最も低い消去率を有する基地局が、新しいサービス提供基地局として選択されることができ、選択された基地局へのハンドオフが、実行されることができる。ＲＬ電力制御の場合、端末の伝送電力は、受信されたＰＣコマンドがアップコマンドである場合は、アップステップだけ増大されることができ、または受信されたＰＣコマンドがダウンコマンドである場合は、ダウンステップだけ減少されることができる。
【００８８】
図１０は、ＲＬ電力制御およびハンドオフを実行するための装置１０００の設計を示している。装置１０００は、少なくとも１つの基地局が属する第１の組から受信されたＰＣコマンドに基づいて伝送電力を調整するための手段（モジュール１０１０）と、少なくとも１つの基地局が属する第２の組から受信された消去指示に基づいてハンドオフを実行するための手段（モジュール１０２０）とを含む。モジュール１０１０から１０２０は、プロセッサ、電子装置、ハードウェア装置、電子コンポーネント、論理回路、メモリなど、またはそれらの任意の組み合わせを備えることができる。
【００８９】
図１１は、図１の端末１２０、サービス提供基地局１１０ｘ、および非サービス提供基地局１１０ｍの設計のブロック図を示している。サービス提供基地局１１０ｘにおいて、ＴＸデータプロセッサ１１１４ｘは、データソース１１１２ｘからトラフィックデータを、コントローラ／プロセッサ１１３０ｘおよびスケジューラ１１３４ｘから信号を受信する。コントローラ／プロセッサ１１３０ｘは、基地局１１０ｘと通信する端末の伝送電力を調整するために、フィードバック（例えばＰＣコマンドおよび／または消去指示）を提供することができ、スケジューラ１１３４ｘは、データチャネルおよび／またはサブキャリアの割り当てを端末に提供することができる。ＴＸデータプロセッサ１１１４ｘは、トラフィックデータおよび信号の処理（例えば、符号化、インタリーブ、およびシンボルマップ）を行い、シンボルを提供する。変調器（Ｍｏｄ）１１１６ｘは、シンボルに対して（例えば、ＣＤＭＡ、ＯＦＤＭＡ、および／またはその他の無線技法用の）変調を実行し、出力チップを提供する。送信機（ＴＭＴＲ）１１１８ｘは、出力チップの調整（例えば、アナログ変換、増幅、フィルタ、および周波数アップコンバート）を行い、順方向リンク信号を生成し、順方向リンク信号は、アンテナ１１２０ｘを介して伝送される。
【００９０】
非サービス提供基地局１１０ｍは同様に、基地局１１０ｍによってサービス提供される端末およびアクティブセット内に基地局１１０ｍを有する端末に関するトラフィックデータおよび信号を処理する。トラフィックデータおよび信号は、ＴＸデータプロセッサ１１１４ｍによって処理され、変調器１１１６ｍによって変調され、送信機１１１８ｍによって調整され、アンテナ１１２０ｍを介して伝送される。
【００９１】
端末１２０において、アンテナ１１５２は、基地局１１０ｘおよび１１０ｍ、ならびにおそらくはその他の基地局から順方向リンク信号を受信する。受信機１１５４は、アンテナ１１５２から受け取った受信信号の調整（例えば、フィルタ、増幅、周波数ダウンコンバート、およびデジタル化）を行い、サンプルを提供する。復調器（Ｄｅｍｏｄ）１１５６は、（例えば、ＣＤＭＡ、ＯＦＤＭＡ、および／またはその他の無線技法用の）復調を実行し、シンボル推定を提供する。ＲＸデータプロセッサ１１５８は、シンボル推定の処理（例えば、シンボル逆マップ、デインタリーブ、および復号）を行い、復号データをデータシンク１１６０に提供し、検出信号（例えば、ＲＬＣｔｒｌＰＣＭｏｄｅビット、ＰＣコマンド、および消去指示など）をコントローラ／プロセッサ１１７０に提供する。
【００９２】
逆方向リンク上で、ＴＸデータプロセッサ１１８２は、データソース１１８０からのトラフィックデータおよびコントローラ／プロセッサ１１７０からの信号（例えば、符号語およびハンドオフ要求など）を処理し、シンボルを生成する。シンボルは、変調器１１８４によって変調され、逆方向リンク信号を生成するために送信機１１８６によって調整され、逆方向リンク信号は、アンテナ１１５２から伝送される。コントローラ１１７０は、伝送用に使用する伝送電力レベルの表示を提供することができる。
【００９３】
サービス提供基地局１１０ｘにおいて、端末１２０およびその他の端末からの逆方向リンク信号は、アンテナ１１２０ｘによって受信され、受信機１１４０ｘによって調整され、復調器１１４２ｘによって復調され、ＲＸデータプロセッサ１１４４ｘによって処理される。プロセッサ１１４４ｘは、復号データをデータシンク１１４６ｘに提供し、検出信号（例えば符号語）をコントローラ／プロセッサ１１３０ｘに提供する。受信機１１４０ｘは、各端末に関する受信された信号の品質を推定し、この情報をコントローラ／プロセッサ１１３０ｘに提供することができる。コントローラ／プロセッサ１１３０ｘは、上で説明されたように、各端末に関するＰＣコマンドおよび／または消去指示を導出することができる。非サービス提供基地局１１０ｍは同様に、端末１２０によって送信された信号（例えば、符号語およびハンドオフ要求）を検出することができ、消去指示を端末に送信することができる。
【００９４】
コントローラ／プロセッサ１１３０ｘ、１１３０ｍ、および１１７０は、それぞれ、基地局１１０ｘおよび１１０ｍならびに端末１２０の様々な処理ユニットの動作を指示する。これらのコントローラ／プロセッサは、電力制御およびハンドオフに関する様々な機能を実行することもできる。例えば、コントローラ／プロセッサ１１３０ｘは、基地局１１０ｘに関する図３および図４に示されたユニット２２０から２３２の一部あるいは全部を実施することができる。コントローラ１１７０は、端末１２０に関する図２から図４に示されたユニット２５８から２９０の一部あるいは全部を実施することができる。コントローラ１１３０ｘは、図５のプロセス５００を実施することもできる。コントローラ１１７０は、図７および図９のプロセス７００および／または９００を実施することもできる。メモリ１１３２ｘ、１１３２ｍ、および１１７２は、それぞれ、基地局１１０ｘおよび１１０ｍならびに端末１２０に関するデータおよびプログラムコードを保存する。スケジューラ１１３４ｘおよび１１３４ｍは、それぞれ、基地局１１０ｘおよび１１０ｍと通信する端末をスケジュールし、スケジュールされた端末にデータチャネルおよび／またはサブキャリアを割り当てる。
【００９５】
本明細書で説明された技法は、様々な手段によって実施されることができる。例えば、これらの技法は、ハードウェア、ファームウェア、ソフトウェア、またはそれらの組み合わせで実施されることができる。ハードウェア実施の場合、電力制御およびハンドオフを実行するのに使用される処理ユニットは、１つまたは複数の特定用途向け集積回路（ＡＳＩＣ）、デジタル信号プロセッサ（ＤＳＰ）、デジタル信号処理装置（ＤＳＰＤ）、プログラム可能論理回路（ＰＬＤ）、フィールドプログラマブルゲートアレイ（ＦＰＧＡ）、プロセッサ、コントローラ、マイクロコントローラ、マイクロプロセッサ、電子装置、本明細書で説明された機能を実行するように設計されたその他の電子ユニット、またはそれらの組み合わせ内で実施されることができる。
【００９６】
ファームウェアおよび／またはソフトウェア実施の場合、本明細書の技法は、本明細書で説明された機能を実行するモジュール（例えば、プロシージャおよび関数など）を用いて実施されることができる。ファームウェアおよび／またはソフトウェアコードは、メモリ（例えば、図１１のメモリ１１３２ｘ、１１３２ｍ、または１１７２）内に保存され、プロセッサ（プロセッサ１１３０ｘ、１１３０ｍ、または１１７０）によって実行されることができる。メモリは、プロセッサ内に実装されても、またはプロセッサの外部に実装されてもよい。
【００９７】
本明細書には、参照用に、および特定のセクションの発見に役立つように、見出しが含まれる。これらの見出しは、その下で説明される概念の範囲を限定することは意図されておらず、これらの概念は、明細書全体のその他のセクションにおいても適用性を有することができる。
【００９８】
本開示の先の説明は、当業者が本開示を作成または使用することを可能にするために提供された。本開示に対する様々な修正が、当業者には容易に明らかであり、本明細書で確定された汎用的な概念は、本開示の主旨および範囲から逸脱することなく、その他の変形に適用されることができる。したがって、本開示は、本明細書で説明された例に限定されることは意図されておらず、本明細書で開示された原理および新規な特徴に矛盾しない最も広い範囲を与えられるべきである。なお、本願の出願当初の上記[と同一の記載を以下に付記する。
[１] 下記を備える装置：
複数のＰＣモードの中から選択されたＰＣモードを通知するシグナリングを受信し、前記選択されたＰＣモードに従って伝送電力を調整するように構成される少なくとも１つのプロセッサ；および、
前記少なくとも１つのプロセッサに結合されるメモリ。
[２] 前記複数のＰＣモードが、アップ−ダウンＰＣモードと、消去ベースのＰＣモードとを備える、上記[１]に記載の装置。
[３] 上記[１]に記載の装置、ここにおいて、
前記選択されたＰＣモードが、アップ−ダウンＰＣモードであり、前記少なくとも１つのプロセッサが、受信されたＰＣコマンドに従って前記伝送電力を調整するように構成される。
[４] 上記[３]に記載の装置、ここにおいて、
前記少なくとも１つのプロセッサが、受信されたＰＣコマンドがアップコマンドである場合、前記伝送電力をアップステップだけ増大させ、前記受信されたＰＣコマンドがダウンコマンドである場合、前記伝送電力をダウンステップだけ減少させるように構成される。
[５] 前記アップステップが、前記ダウンステップに等しい、上記[４]に記載の装置。
[６] 上記[１]に記載の装置、ここにおいて、
前記選択されたＰＣモードが、消去ベースのＰＣモードであり、前記少なくとも１つのプロセッサが、通信チャネルを介して送信された符号語に関する消去指示を受信し、前記受信された消去指示に従って前記伝送電力を調整するように構成される。
[７] 上記[６]に記載の装置、ここにおいて、
前記少なくとも１つのプロセッサが、受信された消去指示が消去される符号語を示している場合、前記伝送電力をアップステップだけ増大させ、前記受信された消去指示が消去されない符号語を示している場合、前記伝送電力をダウンステップだけ減少させるように構成される。
[８] 前記アップステップおよび前記ダウンステップが、目標消去率によって決定される、上記[７]に記載の装置。
[９] 前記少なくとも１つのプロセッサが、前記選択されたＰＣモードに従って調整された前記伝送電力で符号語を送信するように構成される、上記[１]に記載の装置。
[１０] 前記シグナリングが、ＰＣモードビットである、上記[１]に記載の装置。
[１１] 下記を備える方法：
複数のＰＣモードの中から選択されたＰＣモードを通知するシグナリングを受信すること；および、
前記選択されたＰＣモードに従って伝送電力を調整すること。
[１２] 上記[１１]に記載の方法、ここにおいて、
前記選択されたＰＣモードに従って前記伝送電力を調整することが、受信されたＰＣコマンドに従って前記伝送電力を調整することを備える。
[１３] 上記[１１]に記載の方法、ここにおいて、
前記選択されたＰＣモードに従って前記伝送電力を調整することは、下記を備える：
通信チャネルを介して送信された符号語に関する消去指示を受信すること；および、
前記受信された消去指示に従って前記伝送電力を調整すること。
[１４] 下記を備える装置：
複数のＰＣモードの中から選択されたＰＣモードを通知するシグナリングを受信するための手段；および、
前記選択されたＰＣモードに従って伝送電力を調整するための手段。
[１５] 上記[１４]に記載の装置、ここにおいて、
前記選択されたＰＣモードに従って前記伝送電力を調整するための前記手段は、
受信されたＰＣコマンドに従って前記伝送電力を調整するための手段を備える。
[１６] 上記[１４]に記載の装置、ここにおいて、
前記選択されたＰＣモードに従って前記伝送電力を調整するための前記手段は下記を備える：
通信チャネルを介して送信された符号語に関する消去指示を受信するための手段；および、
前記受信された消去指示に従って前記伝送電力を調整するための手段。
[１７] 下記のように動作可能な命令を保存するためのプロセッサ可読媒体：
複数のＰＣモードの中から選択されたＰＣモードを通知するシグナリングを受信する；
前記選択されたＰＣモードに従って伝送電力を調整する。
[１８] 下記を備える装置：
複数のＰＣモードの中から選択されたＰＣモードを通知するシグナリングを送信し、前記選択されたＰＣモードに従って端末に関する電力制御フィードバックを生成し、前記電力制御フィードバックを前記端末に送信するように構成される少なくとも１つのプロセッサ、ここにおいて、前記電力制御フィードバックは、前記端末の伝送電力を調整するために使用される；および、
前記少なくとも１つのプロセッサに結合されるメモリ。
[１９] 上記[１８]に記載の装置、ここにおいて、
前記少なくとも１つのプロセッサは、前記端末に関する受信された信号の品質を推定し、前記受信された信号の品質に基づいてＰＣコマンドを生成するように構成され、ここにおいて、
前記電力制御フィードバックは、前記ＰＣコマンドを備える。
[２０] 上記[１８]に記載の装置、ここにおいて、
前記少なくとも１つのプロセッサは、前記端末に関する受信された信号の品質を推定し、前記受信された信号の品質および目標信号品質に基づいてＰＣコマンドを生成し、目標性能レベルに基づいて前記目標信号品質を調整するように構成され、ここにおいて、
前記電力制御フィードバックは、前記ＰＣコマンドを備える。
[２１] 上記[２０]に記載の装置、ここにおいて、
前記目標とする性能レベルは、目標消去率であり、ここにおいて、
前記少なくとも１つのプロセッサは、前記端末から符号語を受信し、受信された符号語の各々が消去されたものか、それとも消去されていないものかを判定し、前記目標消去率を達成するために前記目標信号品質を調整するように構成される。
[２２] 上記[１８]に記載の装置、ここにおいて、
前記少なくとも１つのプロセッサは、前記端末から符号語を受信し、受信された符号語の各々が消去されたものか、それとも消去されていないものかを判定し、前記受信された符号語に関する消去指示を送信するように構成され、ここにおいて、
前記電力制御フィードバックは、前記消去指示を備える。
[２３] 上記[１８]に記載の装置、ここにおいて、
前記少なくとも１つのプロセッサは、前記端末の前記伝送電力を調整するのに使用されるアップステップ、ダウンステップ、または前記アップステップと前記ダウンステップの両方を送信するように構成される。
[２４] 上記[２２]に記載の装置、ここにおいて、
前記少なくとも１つのプロセッサは、消去閾値に基づいて、受信された符号語の各々が消去されたものか、それとも消去されていないものかを判定し、目標性能レベルに基づいて前記消去閾値を調整するように構成される。
[２５] 上記[２４]に記載の装置、ここにおいて、
前記目標性能レベルが、前記受信された符号語に関する目標とする条件付き誤り率、目標誤り率、または目標誤警報率である。
[２６] 下記を備える方法：
複数のＰＣモードの中から選択されたＰＣモードを通知するシグナリングを送信すること；
前記選択されたＰＣモードに従って端末に関する電力制御フィードバックを生成すること；および、
前記電力制御フィードバックを前記端末に送信すること、ここにおいて、
前記電力制御フィードバックは、前記端末の伝送電力を調整するために使用される。
[２７] 上記[２６]に記載の方法、ここにおいて、
前記端末に関する前記電力制御フィードバックを生成することは、下記を備える：
前記端末に関する受信された信号の品質を推定すること；
前記受信された信号の品質および目標信号品質に基づいてＰＣコマンドを生成すること；および、
目標性能レベルに基づいて前記目標信号品質を調整すること、ここにおいて、
前記電力制御フィードバックは、前記ＰＣコマンドを備える。
[２８] 上記[２６]に記載の方法、ここにおいて、
前記端末に関する前記電力制御フィードバックを生成することは、下記を備える：
前記端末から符号語を受信すること；
受信された符号語の各々が消去されたものか、それとも消去されていないものかを判定すること；および、
前記受信された符号語に関する消去指示を送信すること、ここにおいて、
前記電力制御フィードバックは、前記消去指示を備える、。
[２９] 下記を備える装置：
複数のＰＣモードの中から選択されたＰＣモードを通知するシグナリングを送信するための手段；
前記選択されたＰＣモードに従って端末に関する電力制御フィードバックを生成するための手段；および、
前記電力制御フィードバックを前記端末に送信するための手段、ここにおいて、
前記電力制御フィードバックは、前記端末の伝送電力を調整するために使用される。
[３０] 上記[２９]に記載の装置、ここにおいて、
前記端末に関する前記電力制御フィードバックを生成するための前記手段は、下記を備える：
前記端末に関する受信された信号の品質を推定するための手段；
前記受信された信号の品質および目標信号品質に基づいてＰＣコマンドを生成するための手段；および、
目標性能レベルに基づいて前記目標信号品質を調整するための手段、ここにおいて、
前記電力制御フィードバックは、前記ＰＣコマンドを備える。
[３１] 上記[２９]に記載の装置、ここにおいて、
前記端末に関する前記電力制御フィードバックを生成するための前記手段は、下記を備える：
前記端末から符号語を受信するための手段；
受信された符号語の各々が消去されたものか、それとも消去されていないものかを判定するための手段；および、
前記受信された符号語に関する消去指示を送信するための手段、ここにおいて、
前記電力制御フィードバックは、前記消去指示を備える。
[３２] 下記のように動作可能な命令を保存するためのプロセッサ可読媒体：
複数のＰＣモードの中から選択されたＰＣモードを通知するシグナリングを送信する；
前記選択されたＰＣモードに従って端末に関する電力制御フィードバックを生成する；
前記電力制御フィードバックを前記端末に送信する、ここにおいて、
前記電力制御フィードバックは、前記端末の伝送電力を調整するために使用される。
[３３] 下記を備える装置：
少なくとも１つの基地局が属する第１の組から受信されたＰＣコマンドに基づいて伝送電力を調整し、少なくとも１つの基地局が属する第２の組から受信された消去指示に基づいてハンドオフを実行するように構成される少なくとも１つのプロセッサ；および、
前記少なくとも１つのプロセッサに結合されるメモリ。
[３４] 上記[３３]に記載の装置、ここにおいて、
前記第１の組が、サービス提供基地局として指定された単一の基地局を含み、前記第２の組が、前記サービス提供基地局を含む。
[３５] 上記[３３]に記載の装置、ここにおいて、
前記少なくとも１つのプロセッサが、前記受信されたＰＣコマンドに基づいて調整された前記伝送電力で符号語を伝送し、少なくとも１つの基地局が属する前記第２の組から前記符号語に関する前記消去指示を受信するように構成される。
[３６] 上記[３３]に記載の装置、ここにおいて、
前記少なくとも１つのプロセッサが、前記基地局から受信された消去指示に基づいて、前記第２の組内の各基地局に関する消去率を決定し、最も低い消去率を有する基地局を選択し、前記選択された基地局へのハンドオフを実行するように構成される。
[３７] 上記[３３]に記載の装置、ここにおいて、
前記少なくとも１つのプロセッサが、受信されたＰＣコマンドがアップコマンドである場合、前記伝送電力をアップステップだけ増大させ、前記受信されたＰＣコマンドがダウンコマンドである場合、前記伝送電力をダウンステップだけ減少させるように構成される。
[３８] 下記を備える方法：
少なくとも１つの基地局が属する第１の組から受信されたＰＣコマンドに基づいて伝送電力を調整すること；および、
少なくとも１つの基地局が属する第２の組から受信された消去指示に基づいてハンドオフを実行すること。
[３９] さらに下記を備える上記[３８]に記載の方法：
前記受信されたＰＣコマンドに基づいて調整された前記伝送電力で符号語を伝送すること；および、
少なくとも１つの基地局が属する前記第２の組から前記符号語に関する前記消去指示を受信すること。
[４０] 上記[３８]に記載の方法、ここにおいて、
前記ハンドオフを実行することは、下記を備える：
前記基地局から受信された消去指示に基づいて、前記第２の組内の各基地局に関する消去率を決定すること；
最も低い消去率を有する基地局を選択すること；および、
前記選択された基地局へのハンドオフを実行すること。
[４１] 下記を備える装置：
少なくとも１つの基地局が属する第１の組から受信されたＰＣコマンドに基づいて伝送電力を調整するための手段；および、
少なくとも１つの基地局が属する第２の組から受信された消去指示に基づいてハンドオフを実行するための手段。
[４２] さらに下記を備える上記[４１]に記載の装置：
前記受信されたＰＣコマンドに基づいて調整された前記伝送電力で符号語を伝送するための手段；および、
少なくとも１つの基地局が属する前記第２の組から前記符号語に関する前記消去指示を受信するための手段。
[４３] 上記[４１]に記載の装置、ここにおいて、
ハンドオフを実行するための前記手段は、下記を備える：
前記基地局から受信された消去指示に基づいて、前記第２の組内の各基地局に関する消去率を決定するための手段；
最も低い消去率を有する基地局を選択するための手段；および、
前記選択された基地局へのハンドオフを実行するための手段。
[４４] 下記のように動作可能な命令を保存するためのプロセッサ可読媒体：
少なくとも１つの基地局が属する第１の組から受信されたＰＣコマンドに基づいて伝送電力を調整する；および、
少なくとも１つの基地局が属する第２の組から受信された消去指示に基づいてハンドオフを実行する。
【図１】
0005502846.tif 000014
【図２】
0005502846.tif 000015
【図３】
0005502846.tif 000016
【図４】
0005502846.tif 000017
【図５】
0005502846.tif 000018
【図６】
0005502846.tif 000019
【図７】
0005502846.tif 000020
【図８】
0005502846.tif 000021
【図９】
0005502846.tif 000022
【図１０】
0005502846.tif 000023
【図１１】
0005502846.tif 000024